(57)【要約】【課題】指爪に施されたジェルネイル等の化粧料をより簡便に除去することのできる化粧料除去具あって、コンパクトに携帯できるものを提供すること。【解決手段】  少なくとも縦方向に延びる気密された内部空間１ａを形成し、縦方向の一側（上端）に開口５ａが設けられる袋体を形成するシート２，３と、袋体内の縦方向の他側（下端）に収容される除去剤を含む吸収体４と、から化粧料除去具１が構成される。袋体を開き、その開口５ａから縦方向に指を入れて、除去剤を含む吸収体４に指爪を接することで、指爪に施された化粧料を簡便に除去することが可能となる。【選択図】図１
0003190823.tif 000002
【実用新案登録請求の範囲】
【請求項１】
指爪に施された化粧料を除去する化粧料除去具であって、
少なくとも一軸方向に延びる気密された空間を形成し、前記一軸方向の一側の近傍に開口可能な開口部が設けられる袋体と、
前記袋体内の前記一軸方向の他側に収容される、前記化粧料を除去する除去剤を含む吸収体と、を備えることを特徴とする化粧料除去具。
【請求項２】
前記吸収体は、シート状に形成された部材であり、該部材の一面を前記袋体の内面に接して前記袋体内に収容されることを特徴とする、請求項１に記載の化粧料除去具。
【請求項３】
前記袋体は、少なくとも前記一軸方向に交差する方向に可塑性を有するシート状の部材から形成されることを特徴とする、請求項１又は２に記載の化粧料除去具。
【請求項４】
前記袋体は、前記一軸方向に交差する方向に指幅より大きい幅を設けて形成されることを特徴とする、請求項３に記載の化粧料除去具。
【請求項５】
前記袋体の外側の帯状部に接着材が塗布され、前記接着剤がシートによって被覆されていることを特徴とする、請求項１〜４のいずれか１項に記載の化粧料除去具。
【考案の詳細な説明】
【技術分野】
【０００１】
本考案は、指爪に施された化粧料を除去する化粧料除去具に関する。
【背景技術】
【０００２】
指爪の表面にジェル（ゲル状の樹脂）をコーティングし、ＵＶライトを照射して硬化させることで、指爪上に装着するジェルネイルが普及している。ジェルネイルは、一度着けると２乃至４週間と長持ちする一方で除去するのが困難であり、削り落とすことで地爪を傷つけ易いという問題がある。
【０００３】
そこで、ジェルネイルを除去する化粧料除去具が開発されている。例えば、特許文献１には、一端が開き、閉じた他端側に帯状の吸収体が固定された袋状の化粧料除去具が開示されている。この化粧料除去具は、吸収体に除去剤（溶媒）を滴下して吸着し、開いた袋体の一端から指を入れて吸収体に指爪（本例では指爪に装着された人工爪）を接触する。それにより、人工爪を形成する樹脂が除去剤により溶解される又は軟化することで、地爪から人工爪を除去することができる。
【０００４】
しかし、特許文献１に開示された化粧料除去具は、揮発性の高い除去剤を、使用の都度滴下しなければならなかった。外出する際には、化粧料除去具の外に除去剤も持ち歩かねばならず、不便であった。
【先行技術文献】
【特許文献】
【０００５】
【特許文献１】特開２００４−６５４２３号公報
【考案の概要】
【考案が解決しようとする課題】
【０００６】
本考案は、指爪に施されたジェルネイル等の化粧料をより簡便に除去することのできる化粧料除去具であって、コンパクトに携帯できるものを提供することを課題とする。
【課題を解決するための手段】
【０００７】
本考案の化粧料除去具は、指爪に施された化粧料を除去する化粧料除去具であって、少なくとも一軸方向に延びる気密された空間を形成し、前記一軸方向の一側の近傍に開口可能な開口部が設けられる袋体と、袋体内の一軸方向の他側に収容される、化粧料を除去する除去剤を含む吸収体と、を備えることを特徴とする。
【０００８】
これによれば、開口部を開口して袋体を開き、その開口から一軸方向に指を入れることで、除去剤を含む吸収体に指爪を接することができる。
【０００９】
本考案の化粧料除去具は、吸収体は、シート状に形成された部材であり、この部材の一面を袋体の内面に接して袋体内に収容されることを特徴とする。
【００１０】
これによれば、袋体を開き、その開口から一軸方向に指を入れることで、シート状の吸収体の他面に指爪を接することができる。
【００１１】
本考案の化粧料除去具は、袋体は、少なくとも一軸方向に交差する方向に可塑性を有するシート状の部材から形成されることを特徴とする。
【００１２】
これによれば、袋体の開口から入れた指に対して交差する方向に余る袋体の側部を袋体の弾性限界を超える力で折ることで、吸収体を指爪に密着させて、他の指の袋体と干渉しないように、袋体を指に固定することができる。また、袋体の他側をその内に収容された吸収体とともに袋体の弾性限界を超える力で折ることで、指爪に接する吸収体の長さを調節することもできる。
【００１３】
本考案の化粧料除去具は、袋体は、一軸方向に交差する方向に指幅より大きい幅を設けて形成されることを特徴とする。
【００１４】
これによれば、余裕を持って指全体を袋体に挿入することができる。
【００１５】
本考案の化粧料除去具は、前記袋体の外側の帯状部に接着材が塗布され、前記接着剤がシートによって被覆されていることを特徴とする。
【００１６】
これによれば、指の挿入された袋体が指から脱落しないように固定することができる。
【考案の効果】
【００１７】
本考案の化粧料除去具によれば、指爪に施された化粧料を簡便に除去することが可能となる。
【図面の簡単な説明】
【００１８】
【図１】図１は、化粧料除去具の構成を示す図である。
【図２】図２は、化粧料除去具の使用方法を説明するための図である。
【図３】図３は、化粧料除去具の構成を示す図である。
【図４】図４は、化粧料除去具の使用方法を説明するための図である。
【考案を実施するための形態】
【００１９】
以下、本考案の一実施形態を、図１及び２を用いて説明する。
【００２０】
図１に、本実施形態に係る化粧料除去具１の構成を示す。化粧料除去具１は、２つのシート２，３及び吸収体４から構成される。ただし、シート３は、図１（Ｂ）に示すように、シート２の裏面側に配されている。
【００２１】
２つのシート２，３は、例えば縦４ｃｍ及び横３ｃｍの矩形状を有するシート部材であり、それぞれの裏面の周縁には幅３ｍｍ程度のシール部２ａ，３ａが設けられている。シート２，３は、互いに対向するシール部２ａ，３ａを接着することで、内部空間１ａを気密する袋体を形成する。シート部材は、例えば紙、樹脂等の可塑性を有する素材から構成される。ただし、後述するように揮発性の高い除去剤を含む吸収体４を袋体内に収容するため、特にシート部材を紙から構成する場合には、シート２，３の裏面（袋体の内面）をセロハン等の気密性の高いフィルムを用いてカバーすることが好ましい。
【００２２】
シート２，３の側部の上端近傍には、切り込み５が設けられている。切り込み５を利用することで、手指を用いて、シート２，３（これらより形成される袋体）の上端を図中の破線に沿って横方向に裂くことができる。それにより、図１（Ｃ）に示すように、袋体の上端を容易に開口することができる。なお、切り込み５に代えて、シート２，３にミシン目を図中の破線に沿って設けてもよい。また、易破断性のシート２，３を用いて、切り込みやミシン目を設けなくてもよい。
【００２３】
吸収体４は、液体を吸収保持する木綿等の素材を用いて、例えば縦横１．５ｃｍの正方形のシート状に形成されている。吸収体４は、シート２，３より形成された袋体の内部空間１ａの下端側に収容される。ここで、吸収体４は、図１（Ｂ）に示すように、その一面をシート２の裏面に接着する等により袋体内に固定されている。それにより、後述するように、袋体を開き、その中に指を入れることで、吸収体４の他面に指爪を接することができる。
【００２４】
吸収体４には、化粧料を溶解又は軟化する溶媒（除去剤と呼ぶ）が含まれている。除去剤として、例えばアセトンを用いることができる。除去剤は高い揮発性を有するが、シート２，３から構成される袋体の高い気密性により揮発することなく長期間、吸収体４に保持される。
【００２５】
化粧料除去具１の使用方法について説明する。
【００２６】
まず、図１（Ｃ）に示すように、手指を用いて、シート２，３（これらより形成される袋体）の上端を横方向に裂くことで、袋体の上端を開口する。
【００２７】
次に、図２（Ａ）に示すように、袋体を開いて内部空間１ａを拡げ、シート２の表面を上に向けて、その開口５ａから袋体の奥（下端）に指（この例では中指）を入れる。それにより、中指の指爪が袋体の内面（シート２の裏面）に固定された吸収体４に接する。
【００２８】
このとき、２つのシート２，３（これらから構成される袋体）は指幅より大きい横幅を有するため、袋体の側部に余りが生ずる。ここで、シート２，３は可塑性を有する素材から構成されているため、その素材の弾性限界を超える力で折ることでシート２，３が塑性変形する。そこで、図２（Ｂ）に示すように、袋体の左側部を上向き（下向きでもよい）に折り曲げる。同様に、袋体の右側部を図中の一点鎖線に沿って上向き（下向きでもよい）に折り曲げる。それにより、図２（Ｃ）に示すように、吸収体４が指爪に密着した状態で、袋体が指（中指）に固定される（すなわち、化粧料除去具１が指に装着される）。この際、化粧料除去具１の端部１ａが指に触れずに残存する。
【００２９】
同様に、その他の指についても、化粧料除去具１を装着する。
【００３０】
化粧料除去具１を装着後、吸収体４に保持された除去剤が指爪上の化粧料に十分浸透するまで放置する。化粧料が十分に溶解又は軟化したら化粧料除去具１を外し、指爪上から化粧料を除去する。それにより、図２（Ｄ）に示すように、指爪上から化粧料が除去される。
【００３１】
以上詳細に説明したように、本実施形態の化粧料除去具１は、少なくとも縦方向に延びる気密された内部空間１ａを形成し、縦方向の一側（上端）に開口５ａが設けられる袋体を形成するシート２，３と、袋体内の縦方向の他側（下端）に収容される除去剤を含む吸収体４と、から構成される。袋体を開き、その開口５ａから縦方向に指を入れて、除去剤を含む吸収体４に指爪を接することで、指爪に施された化粧料を簡便に除去することが可能となる。
【００３２】
また、本実施形態の化粧料除去具１は、シート２，３より平袋状に形成されるため、複数の化粧料除去具１を重ねてコンパクトにパッケージすることができる。
【００３３】
なお、本実施形態の化粧料除去具１では、シール部２ａ，３ａを接着することで２つのシート２，３から袋体を形成したが、内部空間１ａの高い気密性が得られれば、シート２，３を構成するシート部材の素材に応じて、例えば、シール部２ａ，３ａを圧着（熱圧着）することとしてもよい。
【００３４】
また、２つのシート２，３に代えて１つのシートから、両側端を互いに接着し、上端及び下端をそれぞれシールすることで、袋体を形成してもよい。
【００３５】
また、２つのシート２，３の長さ（縦幅）は、開口５ａから指を入れて、袋体内に固定された吸収体４に指爪を接することができれば、任意の長さでよい。また、幅（横幅）は、袋体内に指を入れて吸収体４に指爪を接した際に、指幅に対して余りが残る程度の任意の大きさでよい。
【００３６】
また、本実施形態の化粧料除去具１では、吸収体４の一面をシート２の裏面に接着することとしたが、吸収体４を袋体内に固定することができれば、これに限らず、例えば吸収体４の下端（又は側端）をシール部２ａ，３ａに接着することとしてもよい。また、袋体内に指を入れて指爪を吸収体４に接することができれば、必ずしも、吸収体４を袋体内に固定する必要もない。
【００３７】
また、本実施形態の化粧料除去具１では、可塑性を有する紙等の素材からシート２，３を構成することとしたが、可塑性の小さい素材に針金等の可塑性を有する部材を横方向若しくは縦方向又は両方向に延設することで、シート２，３を塑性変形可能に構成してもよい。
【００３８】
以下、本考案の他の実施形態を、図３及び４を用いて説明する。上記実施形態における化粧料除去具に接着剤とシール６を付加したものである。化粧料を溶解又は軟化させて除去する点は上記実施形態と同様であるので、接着剤とシール６の効果に絞って説明する。
【００３９】
図３に、本実施形態に係る化粧料除去具１の構成を示す。図１（Ａ）と比較すると、上記実施形態における化粧料除去具１に、シール６が付され、２つのシート２，３とシール６との間には接着剤が塗布されている。
【００４０】
本実施形態では、接着剤は糊であるとする。ただし、接着剤は糊でなくてもよい。シール６によって被覆されることで非使用時には他の物につかず、シール６を除去することでシート２，３を接着できるものであればよい。
【００４１】
化粧料除去具１の使用方法について説明する。
【００４２】
上記実施形態に比して、図２（Ｃ）までの操作は同じである。その後、シール６を除去し、端部１ａを引いて化粧料除去具１を指に密着させる。化粧料除去具１の開口の幅を指の大きさに合わせることができる。
【００４３】
安定した固定位置において、接着剤によって、シート２又は３を指に密着させた状態で固定する。
【００４４】
指爪のある側のシート２を接着する例を図４（Ａ）に示す。固定時の開口の幅を指の大きさに合わせることができる。なお、図４においては１本の指のみを示しているが、全ての指について同様である。
【００４５】
指爪のある側と逆側のシート３を接着する例を図４（Ｂ）に示す。この場合にも固定時の開口の幅を指の大きさに合わせることができる。
【００４６】
以上詳細に説明したように、本実施形態の化粧料除去具１は、上記実施形態の化粧料除去具１と同様の化粧料除去効果を有し、シール６及び接着剤が付されている。化粧料が溶解又は軟化する時間において、指先に安定して固定される。
【００４７】
なお、本実施形態の化粧料除去具１では、シート２，３の両方にシール６及び接着剤があるものとして説明したが、一方のみにシール６及び接着剤を設けてもよい。
【００４８】
また、シール６及び接着剤を付す位置は、化粧料除去具１が安定して固定できる任意の位置でよく、シート２，３のほぼ全面にシート５及び接着剤を付してもよい。そして、図３の左右方向に長い帯状部でなく、上下方向に長い帯状部にシート５及び接着剤を付してもよい。（化粧料除去具１の左右両端を接着することでも同様の効果を得ることができる。）
【産業上の利用可能性】
【００４９】
本考案の化粧料除去具は、指爪に施された化粧料を簡便に除去するのに好適である。多くの女性による利用が期待される。
【符号の説明】
【００５０】
１    化粧料除去具
１ａ  内部空間
２    シート
２ａ  シール部
３    シート
３ａ  シール部
４    吸収体
５    シート
６    シール
【図１】
0003190823.tif 000003
【図２】
0003190823.tif 000004
【図３】
0003190823.tif 000005
【図４】
0003190823.tif 000006